【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
メニュードメインと複数のタイトルで構成されるタイトルドメインのデータストリームを記録する第１記録領域、及び
前記データストリームの再生を制御するためのナビゲーション情報を記録する第２記録領域を含んで構成されて、
前記第２記録領域のナビゲーション情報は、再生動作が再開されたときに復帰するタイトルドメインの位置を指定するための再生制御情報を含むことを特徴とする記録媒体。
【請求項２】
前記再生動作は前記メニュードメインから前記タイトルドメインで再開されることを特徴とする請求項１に記載の記録媒体。
【請求項３】
前記ナビゲーション情報は、前記タイトルの再生動作を再開するためのレジュームコマンドをさらに含み、前記レジュームコマンドはプログラムチェーンコマンドテーブルに記録されて管理されることを特徴とする請求項１に記載の記録媒体。
【請求項４】
前記ナビゲーション情報は、前記レジュームコマンドの個数に関するコマンド情報をさらに含むことを特徴とする請求項３に記載の記録媒体。
【請求項５】
前記コマンド情報は前記プログラムチェーンコマンドテーブルに記録されて管理されることを特徴とする請求項４に記載の記録媒体。
【請求項６】
前記タイトルは複数のシステムパラメーターを備えることを特徴とする請求項１に記載の記録媒体。
【請求項７】
前記システムパラメーターは前記タイトルが再開可能なことを指し示す識別情報を含むことを特徴とする請求項６に記載の記録媒体。
【請求項８】
前記タイトルドメイン内の少なくとも第２タイトルは複数のシステムパラメーターを含むことを特徴とする請求項１に記載の記録媒体。
【請求項９】
前記第２タイトルのシステムパラメーターは前記第２タイトルが再開することができないことを指し示す識別情報を含むことを特徴とする請求項８に記載の記録媒体。
【請求項１０】
前記システムパラメーターには、タイトルセル番号、ビデオタイトルセット番号、ナビゲーションパックスタートアドレス、及びプログラムチェーン再生制御状態情報のうち少なくとも一つと関連した値が割り当てられることを特徴とする請求項６に記載の記録媒体。
【請求項１１】
メニュードメインから複数のタイトルで構成されるタイトルドメインに復帰する再生動作によって、再開することができることを指し示す識別情報を含むシステムパラメーターを有する、タイトルドメイン内の、第１タイトルを指定するための第１再生制御情報を検索して確認する段階、及び  前記第１再生制御情報に対応する第１タイトルの第１位置を探索して再生する段階を含んで構成されることを特徴とする記録媒体に記録されたオーディオ／ビデオデータの再生を制御するための方法。
【請求項１２】
前記第１再生制御情報はタイトルセル番号を含むことを特徴とする請求項１１に記載の記録媒体に記録されたオーディオ／ビデオデータの再生を制御するための方法。
【請求項１３】
前記第１再生制御情報はビデオタイトルセット番号を含むことを特徴とする請求項１１に記載の記録媒体に記録されたオーディオ／ビデオデータの再生を制御するための方法。
【請求項１４】
前記第１再生制御情報はナビゲーションパックスタートアドレスを含むことを特徴とする請求項１１に記載の記録媒体に記録されたオーディオ／ビデオデータの再生を制御するための方法。
【請求項１５】
前記第１再生制御情報はプログラムチェーン再生制御状態情報を含むことを特徴とする請求項１１に記載の記録媒体に記録されたオーディオ／ビデオデータの再生を制御するための方法。
【請求項１６】
前記プログラムチェーン再生制御状態情報は前記第１タイトルの第１位置を指定することを特徴とする請求項１５に記載の記録媒体に記録されたオーディオ／ビデオデータの再生を制御するための方法。
【請求項１７】
前記メニュードメインのデータストリームが再生される前に再生された、前記タイトルドメイン内の複数のタイトルのうちのタイトルのプログラムチェーンコマンドを実行して、第２再生制御情報で前記第１再生制御情報を更新する段階をさらに含んで構成されることを特徴とする請求項１１に記載の記録媒体に記録されたオーディオ／ビデオデータの再生を制御するための方法。
【請求項１８】
プログラムチェーンコマンドを実行して、前記再開することができる第１タイトルの第１位置を指定するための第２再生制御情報で前記第１再生制御情報を更新する段階をさらに含んで構成されることを特徴とする請求項１１に記載の記録媒体に記録されたオーディオ／ビデオデータの再生を制御するための方法。
【請求項１９】
前記再生動作が前記メニュードメインから前記タイトルドメインに復帰する時点に再生された前記メニュードメインのうちのメニューのプログラムチェーンコマンドを実行して、第２再生制御情報で前記第１再生制御情報を更新する段階をさらに含んで構成されることを特徴とする請求項１１に記載の記録媒体に記録されたオーディオ／ビデオデータの再生を制御するための方法。
【請求項２０】
前記メニュードメインのデータストリームが再生される前に再生された、前記タイトルドメインの複数のタイトルのうちのタイトルが再開することができなければ、前記メニュードメインのプログラムチェーンコマンドを実行して、前記第１タイトルの第１位置を指定するための第２再生制御情報で前記第１再生制御情報を更新する段階をさらに含んで構成されることを特徴とする請求項１１に記載の記録媒体に記録されたオーディオ／ビデオデータの再生を制御するための方法。
【請求項２１】
前記識別情報は、前記再生動作が前記メニュードメインから前記タイトルドメインに復帰するときに前記第１タイトルが再開されることができるかを指し示すことを特徴とする請求項１１に記載の記録媒体に記録されたオーディオ／ビデオデータの再生を制御するための方法。
【請求項２２】
前記識別情報は、前記タイトルドメイン内の複数のタイトルそれぞれのシステムパラメーターに含まれることを特徴とする請求項２１に記載の記録媒体に記録されたオーディオ／ビデオデータの再生を制御するための方法。
【請求項２３】
前記第１記録領域はビデオ領域であることを特徴とする請求項１に記載の記録媒体。
【請求項２４】
第１項において、
前記第１記録領域はＤＶＤ−ビデオ領域であることを特徴とする請求項１に記載の記録媒体。
【請求項２５】
第１項において、
前記第２記録領域はファイル構造領域であることを特徴とする請求項１に記載の記録媒体。
【請求項２６】
メニュードメインと複数のタイトルで構成されるタイトルドメインのデータストリームを記録するＤＶＤ−ビデオ記録領域、及び  前記データストリームの再生を制御するための再生制御情報を記録する第１ファイル構造記録領域を含んで構成されて、
前記第１ファイル構造記録領域の前記ナビゲーション情報は、再生動作が前記メニュードメインから前記タイトルドメインに復帰するときの前記タイトルドメイン内のタイトルを指定するための少なくともレジュームコマンドを含むことを特徴とする光記録媒体。
【請求項２７】
前記再生制御情報はタイトルセル番号を含むことを特徴とする請求項２６に記載の光記録媒体。
【請求項２８】
前記再生制御情報はビデオタイトルセット番号を含むことを特徴とする請求項２６に記載の光記録媒体。
【請求項２９】
前記第１再生制御情報はナビゲーションパックスタートアドレスを含むことを特徴とする請求項２６に記載の光記録媒体。
【請求項３０】
前記第１再生制御情報はプログラムチェーン再生制御状態情報を含むことを特徴とする請求項２６に記載の光記録媒体。
【請求項３１】
記録媒体に記録された第１タイトルと関連づけられたボーナスタイトルの再生が終了されると、前記第１タイトルの再開可能状態を確認する段階、及び  前記再開可能状態が第１値と同一であれば前記第１タイトルの再生を再開する段階を含んで構成されることを特徴とする記録媒体に記録されたオーディオ／ビデオデータの再生を再開するための方法。
【請求項３２】
前記再開可能状態が第２値と同一であれば第２タイトルの再生を再開する段階をさらに含んで構成されることを特徴とする請求項３１に記載の記録媒体に記録されたオーディオ／ビデオデータの再生を再開するための方法。
【請求項３３】
前記再開する段階は、
前記第１タイトルと関連づけられた第１再生位置を確認する段階、及び
前記第１再生位置から再生を再開する段階を含んで構成されることを特徴とする請求項３１に記載の記録媒体に記録されたオーディオ／ビデオデータの再生を再開するための方法。
【請求項３４】
前記第１再生位置は前記第１タイトルがスタートする位置と関連づけられることを特徴とする請求項３３に記載の記録媒体に記録されたオーディオ／ビデオデータの再生を再開するための方法。
【請求項３５】
前記第１再生位置は前記第１タイトルがスタートする位置ではない他の位置と関連づけられることを特徴とする請求項３３に記載の記録媒体に記録されたオーディオ／ビデオデータの再生を再開するための方法。
【請求項３６】
前記第１再生位置は第２タイトルがスタートする位置と関連づけられることを特徴とする請求項３３に記載の記録媒体に記録されたオーディオ／ビデオデータの再生を再開するための方法。
【請求項３７】
前記第１再生位置は前記第１タイトルのプログラムチェーンコマンド内に提供されることを特徴とする請求項３３に記載の記録媒体に記録されたオーディオ／ビデオデータの再生を再開するための方法。
【請求項３８】
前記第１再生位置は前記第１タイトルのプログラムチェーンコマンド関連づけられるマッピングテーブル内に提供されることを特徴とする請求項３３に記載の記録媒体に記録されたオーディオ／ビデオデータの再生を再開するための方法。
【請求項３９】
複数のボーナスタイトルが前記第１タイトルに関連づけられ、前記複数のボーナスタイトルはそれぞれのレジュームコマンドに関連づけられることを特徴とする請求項３１に記載の記録媒体に記録されたオーディオ／ビデオデータの再生を再開するための方法。
【請求項４０】
前記それぞれのレジュームコマンドは、前記第１タイトルが前記各ボーナスタイトルから再開可能であるかを指し示す少なくとも一つのパラメーターと関連づけられることを特徴とする請求項３９に記載の記録媒体に記録されたオーディオ／ビデオデータの再生を再開するための方法。